(57)【要約】      （修正有）【課題】変倍比７倍程度の高変倍化と小型化（薄型化）を図るとともに、諸収差を良好に補正し、像振れ補正時であっても優れた光学性能を達成する。【解決手段】正負正負正の５群構成であり、変倍に際し、隣接する各レンズ群の間隔が変化し、第１レンズ群は、物体側から順に、負レンズ１１と、反射光学素子ＰＲと、少なくとも１枚の正レンズとから構成され、条件式（１）、（２）、（３）を満足すること。（１）−２．７＜ｆｔ／ｆ４＜−１．３、（２）２．５＜ｍ２ｔ／ｍ２ｗ＜４．６、（３）２．２＜ｍ３ｔ／ｍ３ｗ＜３．５、但し、ｆｔ：テレ端における全系の焦点距離、ｆ４：第４レンズ群の焦点距離、ｍ２ｔ：テレ端における無限遠合焦時の第２レンズ群の横倍率、ｍ２ｗ：ワイド端における無限遠合焦時の第２レンズ群の横倍率、ｍ３ｔ：テレ端における無限遠合焦時の第３レンズ群の横倍率、ｍ３ｗ：ワイド端における無限遠合焦時の第３レンズ群の横倍率。【選択図】図１
2017198843.tif 000002
【特許請求の範囲】
【請求項１】
物体側から順に、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とから構成されており、
短焦点距離端から長焦点距離端への変倍に際し、隣接する各レンズ群の間隔が変化し、
第１レンズ群は、物体側から順に、負レンズと、反射光学素子と、少なくとも１枚の正レンズとから構成されており、
次の条件式（１）、（２）、（３）を満足する、
ことを特徴とするズームレンズ系。
（１）−２．７＜ｆｔ／ｆ４＜−１．３
（２）２．５＜ｍ２ｔ／ｍ２ｗ＜４．６
（３）２．２＜ｍ３ｔ／ｍ３ｗ＜３．５
但し、
ｆｔ：長焦点距離端における全系の焦点距離、
ｆ４：第４レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率。
【請求項２】
請求項１記載のズームレンズ系において、
次の条件式（４）を満足するズームレンズ系。
（４）−０．９＜（１−ｍ４ｔ）×ｍ５ｔ＜−０．３
但し、
ｍ４ｔ：長焦点距離端における無限遠合焦時の第４レンズ群の横倍率、
ｍ５ｔ：長焦点距離端における無限遠合焦時の第５レンズ群の横倍率。
【請求項３】
請求項１または２記載のズームレンズ系において、
第４レンズ群は、短焦点距離端から長焦点距離端への変倍に際して像側に移動し、次の条件式（５）を満足するズームレンズ系。
（５）−０．２５＜（Ｄ４Ｉｗ−Ｄ４Ｉｔ)／ｆ４＜−０．０２
但し、
Ｄ４Ｉｗ：短焦点距離端における第４レンズ群の最も像側の面から像面までの距離、
Ｄ４Ｉｔ：長焦点距離端における第４レンズ群の最も像側の面から像面までの距離、
ｆ４：第４レンズ群の焦点距離。
【請求項４】
請求項１ないし３のいずれか１項記載のズームレンズ系において、
第４レンズ群は、負単レンズから構成されており、次の条件式（６）を満足するズームレンズ系。
（６）ν４１＞５５
但し、
ν４１：第４レンズ群を構成する負単レンズのｄ線に対するアッベ数。
【請求項５】
請求項４記載のズームレンズ系において、
第４レンズ群を構成する負単レンズは、少なくとも一方の面に非球面を有しているズームレンズ系。
【請求項６】
請求項１ないし３のいずれか１項記載のズームレンズ系において、
第４レンズ群は、各１枚の負レンズと正レンズから構成されており、次の条件式（７）を満足するズームレンズ系。
（７）１３＜ν４ｎ−ν４ｐ＜４０
但し、
ν４ｎ：第４レンズ群中の負レンズのｄ線に対するアッベ数、
ν４ｐ：第４レンズ群中の正レンズのｄ線に対するアッベ数。
【請求項７】
請求項６記載のズームレンズ系において、
第４レンズ群中の負レンズと正レンズの少なくとも一方は、少なくとも一方の面に非球面を有しているズームレンズ系。
【請求項８】
請求項１ないし７のいずれか１項記載のズームレンズ系において、
次の条件式（８）を満足するズームレンズ系。
（８）１．７＜ｆｔ／ｆ１＜２．８
但し、
ｆｔ：長焦点距離端における全系の焦点距離、
ｆ１：第１レンズ群の焦点距離。
【請求項９】
請求項１ないし８のいずれか１項記載のズームレンズ系において、
次の条件式（９）を満足するズームレンズ系。
（９）０．５０＜ｄ１ｒ／ｆ１＜０．７５
但し、
ｄ１ｒ：第１レンズ群中の反射光学素子の光軸上の厚み、
ｆ１：第１レンズ群の焦点距離。
【請求項１０】
請求項１ないし９のいずれか１項記載のズームレンズ系において、
次の条件式（１０）を満足するズームレンズ系。
（１０）−８．０＜ｆｔ／ｆ２＜−４．３
但し、
ｆｔ：長焦点距離端における全系の焦点距離、
ｆ２：第２レンズ群の焦点距離。
【請求項１１】
請求項１ないし１０のいずれか１項記載のズームレンズ系において、
第２レンズ群は、少なくとも２枚の負レンズと正単レンズから構成されているズームレンズ系。
【請求項１２】
請求項１ないし１１のいずれか１項記載のズームレンズ系において、
第３レンズ群は、少なくとも２枚の正レンズと負単レンズから構成されているズームレンズ系。
【請求項１３】
請求項１ないし１２のいずれか１項記載のズームレンズ系において、
第５レンズ群は、正単レンズから構成されており、次の条件式（１１）を満足するズームレンズ系。
（１１）ν５１＞７０
但し、
ν５１：第５レンズ群を構成する正単レンズのｄ線に対するアッベ数。
【請求項１４】
請求項１ないし１２のいずれか１項記載のズームレンズ系において、
第５レンズ群は、各１枚の正レンズと負レンズから構成されており、次の条件式（１２）を満足するズームレンズ系。
（１２）３５＜ν５ｐ−ν５ｎ＜６０
但し、
ν５ｐ：第５レンズ群中の正レンズのｄ線に対するアッベ数、
ν５ｎ：第５レンズ群中の負レンズのｄ線に対するアッベ数。
【請求項１５】
請求項１ないし１４のいずれか１項記載のズームレンズ系において、
第４レンズ群は、フォーカシング時に移動するフォーカスレンズ群を構成しているズームレンズ系。
【請求項１６】
請求項１ないし１５のいずれか１項記載のズームレンズ系において、
第４レンズ群は、光軸直交成分を含む方向に移動して結像位置を変位させることにより像振れを補正する像振れ補正レンズ群を構成しているズームレンズ系。
【請求項１７】
請求項１ないし１６のいずれか１項記載のズームレンズ系において、
第２レンズ群と第３レンズ群の間には、短焦点距離端から長焦点距離端への変倍に際して像面に対して固定された開口絞りが位置しているズームレンズ系。
【発明の詳細な説明】
【技術分野】
【０００１】
本発明は、携帯端末用カメラなどの撮像機器に搭載可能なズームレンズ系に関する。
【背景技術】
【０００２】
特許文献１には、正負正負正の５群構成のズームレンズ系が開示されている。特許文献２には、正負正負正の５群構成または正負正正負正の６群構成のズームレンズ系が開示されている。特許文献３には、正負正正の４群構成または正負正負正もしくは正負正正負の５群構成のズームレンズ系が開示されている。特許文献１−３のいずれのズームレンズ系も、正の屈折力を持つ第１レンズ群が反射光学素子（例えばプリズム）を含んでいる。
【先行技術文献】
【特許文献】
【０００３】
【特許文献１】特開２０１５−２８５５６号公報
【特許文献２】特開２０１３−３７３２６号公報
【特許文献３】特開２０１４−２１５４３４号公報
【発明の概要】
【発明が解決しようとする課題】
【０００４】
しかし、特許文献１のズームレンズ系は、第１レンズ群で発生する色収差が大きすぎて当該色収差を十分に補正することができない。特許文献２のズームレンズ系は、変倍比が５倍程度しかなく高変倍化が不十分である。特許文献３のズームレンズ系は、正または負の屈折力を持つ第４レンズ群を像振れ補正レンズ群としているが、像振れ補正時の光学性能が著しく低下してしまっている。また、ズームレンズ系ひいてはこれを搭載した撮像機器の小型化（薄型化）の要求は強まるばかりである。
【０００５】
本発明は、以上の問題意識に基づいてなされたものであり、変倍比７倍程度の高変倍化と小型化（薄型化）を図るとともに、諸収差を良好に補正し、像振れ補正時であっても優れた光学性能を達成することができるズームレンズ系を得ることを目的の１つとする。
【課題を解決するための手段】
【０００６】
本発明のズームレンズ系は、物体側から順に、正の屈折力を持つ第１レンズ群と、負の屈折力を持つ第２レンズ群と、正の屈折力を持つ第３レンズ群と、負の屈折力を持つ第４レンズ群と、正の屈折力を持つ第５レンズ群とから構成されており、短焦点距離端から長焦点距離端への変倍に際し、隣接する各レンズ群の間隔が変化し、第１レンズ群は、物体側から順に、負レンズと、反射光学素子と、少なくとも１枚の正レンズとから構成されており、次の条件式（１）、（２）、（３）を満足する、ことを特徴としている。
（１）−２．７＜ｆｔ／ｆ４＜−１．３
（２）２．５＜ｍ２ｔ／ｍ２ｗ＜４．６
（３）２．２＜ｍ３ｔ／ｍ３ｗ＜３．５
但し、
ｆｔ：長焦点距離端における全系の焦点距離、
ｆ４：第４レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
ｍ３ｔ：長焦点距離端における無限遠合焦時の第３レンズ群の横倍率、
ｍ３ｗ：短焦点距離端における無限遠合焦時の第３レンズ群の横倍率、
である。
【０００７】
本発明のズームレンズ系は、次の条件式（４）を満足することが好ましい。
（４）−０．９＜（１−ｍ４ｔ）×ｍ５ｔ＜−０．３
但し、
ｍ４ｔ：長焦点距離端における無限遠合焦時の第４レンズ群の横倍率、
ｍ５ｔ：長焦点距離端における無限遠合焦時の第５レンズ群の横倍率、
である。
【０００８】
第４レンズ群は、短焦点距離端から長焦点距離端への変倍に際して像側に移動し、次の条件式（５）を満足することが好ましい。
（５）−０．２５＜（Ｄ４Ｉｗ−Ｄ４Ｉｔ)／ｆ４＜−０．０２
但し、
Ｄ４Ｉｗ：短焦点距離端における第４レンズ群の最も像側の面から像面までの距離、
Ｄ４Ｉｔ：長焦点距離端における第４レンズ群の最も像側の面から像面までの距離、
ｆ４：第４レンズ群の焦点距離、
である。
【０００９】
第４レンズ群は、負単レンズから構成されており、次の条件式（６）を満足することが好ましい。
（６）ν４１＞５５
但し、
ν４１：第４レンズ群を構成する負単レンズのｄ線に対するアッベ数、
である。
【００１０】
第４レンズ群を構成する負単レンズは、少なくとも一方の面に非球面を有していることができる。
【００１１】
第４レンズ群は、各１枚の負レンズと正レンズから構成されており、次の条件式（７）を満足することが好ましい。
（７）１３＜ν４ｎ−ν４ｐ＜４０
但し、
ν４ｎ：第４レンズ群中の負レンズのｄ線に対するアッベ数、
ν４ｐ：第４レンズ群中の正レンズのｄ線に対するアッベ数、
である。
【００１２】
第４レンズ群中の負レンズと正レンズの少なくとも一方は、少なくとも一方の面に非球面を有していることができる。
【００１３】
本発明のズームレンズ系は、次の条件式（８）を満足することが好ましい。
（８）１．７＜ｆｔ／ｆ１＜２．８
但し、
ｆｔ：長焦点距離端における全系の焦点距離、
ｆ１：第１レンズ群の焦点距離、
である。
【００１４】
本発明のズームレンズ系は、次の条件式（９）を満足することが好ましい。
（９）０．５０＜ｄ１ｒ／ｆ１＜０．７５
但し、
ｄ１ｒ：第１レンズ群中の反射光学素子の光軸上の厚み、
ｆ１：第１レンズ群の焦点距離、
である。
【００１５】
本発明のズームレンズ系は、次の条件式（１０）を満足することが好ましい。
（１０）−８．０＜ｆｔ／ｆ２＜−４．３
但し、
ｆｔ：長焦点距離端における全系の焦点距離、
ｆ２：第２レンズ群の焦点距離、
である。
【００１６】
第２レンズ群は、少なくとも２枚の負レンズと正単レンズから構成されていることができる。
【００１７】
第３レンズ群は、少なくとも２枚の正レンズと負単レンズから構成されていることができる。
【００１８】
第５レンズ群は、正単レンズから構成されており、次の条件式（１１）を満足することが好ましい。
（１１）ν５１＞７０
但し、
ν５１：第５レンズ群を構成する正単レンズのｄ線に対するアッベ数、
である。
【００１９】
第５レンズ群は、各１枚の正レンズと負レンズから構成されており、次の条件式（１２）を満足することが好ましい。
（１２）３５＜ν５ｐ−ν５ｎ＜６０
但し、
ν５ｐ：第５レンズ群中の正レンズのｄ線に対するアッベ数、
ν５ｎ：第５レンズ群中の負レンズのｄ線に対するアッベ数、
である。
【００２０】
第４レンズ群は、フォーカシング時に移動するフォーカスレンズ群を構成していることができる。
【００２１】
第４レンズ群は、光軸直交成分を含む方向に移動して結像位置を変位させることにより像振れを補正する像振れ補正レンズ群を構成していることができる。
【００２２】
第２レンズ群と第３レンズ群の間には、短焦点距離端から長焦点距離端への変倍に際して像面に対して固定された開口絞りが位置していることができる。
【発明の効果】
【００２３】
本発明によれば、変倍比７倍程度の高変倍化と小型化（薄型化）を図るとともに、諸収差を良好に補正し、像振れ補正時であっても優れた光学性能を達成することができるズームレンズ系が得られる。
【図面の簡単な説明】
【００２４】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系のズーミング時の移動軌跡を示す簡易移動図である。
【発明を実施するための形態】
【００２５】
本実施形態のズームレンズ系は、図１、図５、図９、図１３、図１７及び図２１に示すように、全数値実施例１−６を通じて、物体側から順に、正の屈折力を持つ第１レンズ群Ｇ１と、負の屈折力を持つ第２レンズ群Ｇ２と、開口絞りＳと、正の屈折力を持つ第３レンズ群Ｇ３と、負の屈折力を持つ第４レンズ群Ｇ４と、正の屈折力を持つ第５レンズ群Ｇ５とから構成されている。Ｉは図示しない撮像素子の像面（撮像面）である。
【００２６】
本実施形態のズームレンズ系は、図２５の簡易移動図に示すように、全数値実施例１−６を通じて、短焦点距離端（Ｗ）から長焦点距離端（Ｔ）への変倍に際し、隣接する各レンズ群の間隔が変化する。
より具体的に、短焦点距離端から長焦点距離端への変倍に際し、第１レンズ群Ｇ１と第５レンズ群Ｇ５と開口絞りＳが像面Ｉに対して固定されており（光軸方向に移動せず）、第２レンズ群Ｇ２が像側に移動し、第３レンズ群Ｇ３が物体側に移動し、第４レンズ群Ｇ４が像側に移動する。
その結果、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少する。
【００２７】
なお、短焦点距離端から長焦点距離端への変倍に際しての第１レンズ群Ｇ１ないし第５レンズ群Ｇ５及び開口絞りＳの挙動（各構成要素の間隔や移動軌跡）には自由度があり、種々の設計変更が可能である。例えば、第１レンズ群Ｇ１と第５レンズ群Ｇ５と開口絞りＳの少なくとも１つを変倍に際して光軸方向に移動させてもよいし、第２レンズ群Ｇ２と第３レンズ群Ｇ３と第４レンズ群Ｇ４の少なくとも１つを変倍に際して像面Ｉに対して固定してもよい（光軸方向に不動としてもよい）。また各構成要素の移動軌跡は、物体側または像側への単調移動軌跡のほか、一旦物体側（像側）に移動した後に像側（物体側）に戻る（Ｕターンする）軌跡、一旦物体側（像側）に移動した後に短焦点距離端での位置を超えて像側（物体側）に移動する軌跡などが可能である。
【００２８】
第４レンズ群Ｇ４は、フォーカシング時に移動するフォーカスレンズ群を構成するとともに、光軸直交成分を含む方向に（例えば光軸直交平面内で）移動して結像位置を変位させることにより像振れを補正する像振れ補正レンズ群を構成する（第４レンズ群Ｇ４がフォーカスレンズ群と像振れ補正レンズ群を兼ねている）。
【００２９】
第１レンズ群Ｇ１は、全数値実施例１−６を通じて、物体側から順に、負レンズ１１と、プリズムＰＲと、正レンズ１２と、正レンズ１３とから構成されている。プリズムＰＲは、光路を略９０°反射（屈曲）させる反射光学素子（屈曲光学素子）である。正レンズ１３は、その両面に非球面を有している。
【００３０】
第２レンズ群Ｇ２は、全数値実施例１−６を通じて、物体側から順に、負レンズ２１と、負レンズ２２と、正レンズ２３とから構成されている。負レンズ２１は、その両面に非球面を有している。負レンズ２２と正レンズ２３は、数値実施例１、３−６では接合されておらず、数値実施例２では接合されている。
【００３１】
第３レンズ群Ｇ３は、数値実施例１、３、５、６では、物体側から順に、正レンズ３１と、負レンズ３２と、正レンズ３３とから構成されている。正レンズ３１は、その両面に非球面を有している。負レンズ３２と正レンズ３３は、接合されている。
第３レンズ群Ｇ３は、数値実施例２では、物体側から順に、正レンズ３１’と、正レンズ３２’と、負レンズ３３’とから構成されている。正レンズ３１’は、その両面に非球面を有している。正レンズ３２’と負レンズ３３’は、接合されている。
第３レンズ群Ｇ３は、数値実施例４では、物体側から順に、正レンズ３１”と、正レンズ３２”と、負レンズ３３”と、正レンズ３４”とから構成されている。正レンズ３１”は、その両面に非球面を有している。正レンズ３２”と負レンズ３３”は、接合されている。
【００３２】
第４レンズ群Ｇ４は、数値実施例１、５、６では、物体側から順に、負レンズ４１と、正レンズ４２とから構成されている。負レンズ４１は、数値実施例６ではその両面に非球面を有しており、数値実施例１、５ではいずれの面にも非球面を有していない。正レンズ４２は、数値実施例５ではその両面に非球面を有しており、数値実施例１、６ではいずれの面にも非球面を有していない。負レンズ４１と正レンズ４２は、数値実施例１では接合されており、数値実施例５、６では接合されていない。
第４レンズ群Ｇ４は、数値実施例２では、物体側から順に、正レンズ４１’と、負レンズ４２’とから構成されている。
第４レンズ群Ｇ４は、数値実施例３、４では、負単レンズ４１”から構成されている。負単レンズ４１”は、その両面に非球面を有している。
【００３３】
第５レンズ群Ｇ５は、数値実施例１、３、４、６では、物体側から順に、正レンズ５１と、負レンズ５２とから構成されている。正レンズ５１と負レンズ５２は、接合されている。
第５レンズ群Ｇ５は、数値実施例２、５では、正単レンズ５１’から構成されている。正単レンズ５１’は、その両面に非球面を有している。
【００３４】
本実施形態のズームレンズ系は、正負正負正の５群構成であり、正の屈折力の第１レンズ群Ｇ１が、物体側から順に、負レンズ１１と、プリズム（反射光学素子、屈曲光学素子）ＰＲと、２枚の正レンズ１２、１３とから構成されている。プリズムＰＲの像側に位置する正レンズの枚数は２枚に限定されず、１枚または３枚以上であってもよい（少なくとも１枚あればよい）。第１レンズ群Ｇ１にプリズムＰＲを含ませることで、ズームレンズ系ひいてはこれを搭載した撮像機器の小型化（薄型化）を図ることができる。
【００３５】
さらに本実施形態のズームレンズ系は、第４レンズ群Ｇ４の屈折力、並びに第２レンズ群Ｇ２及び第３レンズ群Ｇ３の倍率比を適切に設定することにより、変倍比７倍程度の高変倍化と小型化（薄型化）を図るとともに、諸収差を良好に補正し、像振れ補正時であっても優れた光学性能を達成することに成功している。
【００３６】
条件式（１）は、長焦点距離端における全系の焦点距離と、第４レンズ群Ｇ４の焦点距離との比を規定している。条件式（１）を満足することで、第４レンズ群Ｇ４を像振れ補正レンズとしたときのシフト量（駆動量）を抑えて光学系の小型化（薄型化）を図るとともに、像振れ補正時であっても優れた光学性能を達成することができる。
条件式（１）の上限を超えると、第４レンズ群Ｇ４の屈折力が小さくなりすぎて、第４レンズ群Ｇ４を像振れ補正レンズとしたときのシフト量（駆動量）が大きくなりすぎて、光学系の小型化（薄型化）に不利になってしまう。
条件式（１）の下限を超えると、第４レンズ群Ｇ４の屈折力が大きくなりすぎて、特に長焦点距離端における像振れ補正時の光学性能の変化が大きくなってしまう。
【００３７】
条件式（２）は、長焦点距離端における無限遠合焦時の第２レンズ群Ｇ２の横倍率と、短焦点距離端における無限遠合焦時の第２レンズ群Ｇ２の横倍率との比、すなわち第２レンズ群Ｇ２の変倍負担を規定している。条件式（２）を満足することで、特にコマ収差等の諸収差を良好に補正するとともに、所望の変倍比（７倍程度）を達成し、さらにレンズ全長を短縮することができる。
条件式（２）の上限を超えると、第２レンズ群Ｇ２の変倍負担が大きくなりすぎて、特にコマ収差等の諸収差の補正が困難になってしまう。
条件式（２）の下限を超えると、第２レンズ群Ｇ２の変倍負担が小さくなりすぎて、所望の変倍比（７倍程度）が得られなくなってしまう。また、レンズ全長の短縮が困難になってしまう。
【００３８】
条件式（３）は、長焦点距離端における無限遠合焦時の第３レンズ群Ｇ３の横倍率と、短焦点距離端における無限遠合焦時の第３レンズ群Ｇ３の横倍率との比、すなわち第３レンズ群Ｇ３の変倍負担を規定している。条件式（３）を満足することで、特にコマ収差等の諸収差を良好に補正するとともに、所望の変倍比（７倍程度）を達成し、さらにレンズ全長を短縮することができる。
条件式（３）の上限を超えると、第３レンズ群Ｇ３の変倍負担が大きくなりすぎて、特にコマ収差等の諸収差の補正が困難になってしまう。
条件式（３）の下限を超えると、第３レンズ群Ｇ３の変倍負担が小さくなりすぎて、所望の変倍比（７倍程度）が得られなくなってしまう。また、レンズ全長の短縮が困難になってしまう。
【００３９】
条件式（４）は、長焦点距離端における無限遠合焦時の第４レンズ群Ｇ４、および第５レンズ群Ｇ５の横倍率を規定している。条件式（４）を満足することで、第４レンズ群Ｇ４を像振れ補正レンズとしたときのシフト量（駆動量）を抑えて光学系の小型化（薄型化）を図るとともに、像振れ補正時であっても優れた光学性能を達成することができる。
条件式（４）の上限を超えると、第４レンズ群Ｇ４を像振れ補正レンズとしたときのシフト量（駆動量）が大きくなりすぎて、光学系の小型化（薄型化）に不利になってしまう。
条件式（４）の下限を超えると、長焦点距離端での第４レンズ群Ｇ４の倍率が大きくなりすぎて、特に長焦点距離端における像振れ補正時の光学性能の変化が大きくなってしまう。
【００４０】
条件式（５）は、短焦点距離端、および長焦点距離端における無限遠合焦時の第４レンズ群Ｇ４の光軸方向の相対位置関係を規定している。条件式（５）を満足することで、第４レンズ群Ｇ４を像振れ補正レンズとしたときのシフト量（駆動量）を抑えて光学系の小型化（薄型化）を図るとともに、像振れ補正時であっても優れた光学性能を達成することができる。
条件式（５）の上限を超えると、長焦点距離端で第４レンズ群Ｇ４が比較的物体側に位置するため、第４レンズ群Ｇ４の横倍率が大きくなりすぎて、特に長焦点距離端における像振れ補正時の光学性能の変化が大きくなってしまう。
条件式（５）の下限を超えると、長焦点距離端で第４レンズ群Ｇ４が第５レンズ群Ｇ５に近付いて、第４レンズ群Ｇ４の横倍率が小さくなりすぎてしまう。その結果、第４レンズ群Ｇ４を像振れ補正レンズとしたときのシフト量（駆動量）が大きくなりすぎて、光学系の小型化（薄型化）に不利になってしまう。
【００４１】
上述したように、第４レンズ群Ｇ４は、数値実施例３、４では、負単レンズ４１”から構成されている。条件式（６）は、この構成において、負単レンズ４１”のｄ線に対するアッベ数を規定している。条件式（６）を満足することで、特に長焦点距離端における像振れ補正時の色収差を良好に補正することができる。
条件式（６）の下限を超えると、特に長焦点距離端における像振れ補正時の色収差が補正不足となってしまう。
【００４２】
負単レンズ４１”は、その両面ではなく、物体側または像側のいずれか一方の面だけに非球面を有していてもよい。負単レンズ４１”に非球面を設けることで、像振れ補正時のコマ収差を良好に補正することができる。
【００４３】
上述したように、第４レンズ群Ｇ４は、数値実施例１、２、５、６では、各１枚の負レンズと正レンズ（４１と４２または４１’と４２’）から構成されている。条件式（７）は、この構成において、第４レンズ群Ｇ４の各１枚の負レンズと正レンズのｄ線に対するアッベ数の差分を規定している。条件式（７）を満足することで、特に長焦点距離端における像振れ補正時の色収差を良好に補正することができる。
条件式（７）の上限を超えると、特に長焦点距離端における像振れ補正時の色収差が過剰補正となってしまう。
条件式（７）の下限を超えると、特に長焦点距離端における像振れ補正時の色収差が補正不足となってしまう。
【００４４】
第４レンズ群Ｇ４の各１枚の負レンズと正レンズの少なくとも一方に非球面を設けることで、像振れ補正時のコマ収差を良好に補正することができる。
【００４５】
条件式（８）は、長焦点距離端における全系の焦点距離と、第１レンズ群Ｇ１の焦点距離との比を規定している。条件式（８）を満足することで、特に長焦点距離端での色収差を良好に補正するとともに、短焦点距離端での高画角化およびレンズ全長の短縮化を図ることができる。
条件式（８）の上限を超えると、第１レンズ群Ｇ１の屈折力が大きくなりすぎて、特に長焦点距離端での色収差が過剰補正となってしまう。
条件式（８）の下限を超えると、第１レンズ群Ｇ１の屈折力が小さくなりすぎて、短焦点距離端での高画角化およびレンズ全長の短縮化に不利になってしまう。
【００４６】
条件式（９）は、第１レンズ群Ｇ１中のプリズム（反射光学素子、屈曲光学素子）ＰＲの光軸上の厚みと、第１レンズ群Ｇ１の焦点距離との比を規定している。条件式（９）を満足することで、特に短焦点距離端における周辺光量を確保するとともに、光学系の小型化（薄型化）を図ることができる。
条件式（９）の上限を超えると、光学系の小型化（薄型化）が困難になってしまう。
条件式（９）の下限を超えると、特に短焦点距離端における周辺光量が大きく低下してしまう。
【００４７】
条件式（１０）は、長焦点距離端における全系の焦点距離と、第２レンズ群Ｇ２の焦点距離との比を規定している。条件式（１０）を満足することで、コマ収差や倍率色収差等の諸収差を良好に補正するとともに、光学系の小型化（薄型化）を図ることができる。
条件式（１０）の上限を超えると、第２レンズ群Ｇ２の屈折力が小さくなりすぎて、光学系の小型化（薄型化）が困難になってしまう。
条件式（１０）の下限を超えると、第２レンズ群Ｇ２の屈折力が大きくなりすぎて、コマ収差や倍率色収差等の諸収差が大きく発生してしまう。
【００４８】
上述したように、第２レンズ群Ｇ２は、全数値実施例１−６を通じて、２枚の負レンズ２１、２２と正レンズ２３から構成されている。第２レンズ群中の負レンズの枚数は２枚に限定されず、３枚以上であってもよい（少なくとも２枚あればよい）。第２レンズ群をこのように構成することで、所望の変倍比（７倍程度）及びレンズ全長を維持しつつ、諸収差を良好に補正することができる。
【００４９】
上述したように、第３レンズ群Ｇ３は、全数値実施例１−６を通じて、少なくとも２枚の正レンズ（３１と３３、３１’と３２’、３１”と３２”と３４”）と負レンズ（３２、３３’、３３”）から構成されている。第３レンズ群Ｇ３をこのように構成することで、所望の変倍比（７倍程度）及びレンズ全長を維持しつつ、諸収差を良好に補正することができる。
【００５０】
上述したように、第５レンズ群Ｇ５は、数値実施例２、５では、正単レンズ５１’から構成されている。条件式（１１）は、この構成において、正単レンズ５１’のｄ線に対するアッベ数を規定している。条件式（１１）を満足することで、特に長焦点距離端での倍率色収差を良好に補正することができる。
条件式（１１）の下限を超えると、特に長焦点距離端での倍率色収差が補正不足となってしまう。
【００５１】
上述したように、第５レンズ群Ｇ５は、数値実施例１、３、４、６では、各１枚の正レンズ５１と負レンズ５２から構成されている。条件式（１２）は、この構成において、第５レンズ群Ｇ５の各１枚の正レンズ５１と負レンズ５２のｄ線に対するアッベ数の差分を規定している。条件式（１２）を満足することで、特に長焦点距離端での倍率色収差を良好に補正することができる。
条件式（１２）の上限を超えると、特に長焦点距離端での倍率色収差が過剰補正となってしまう。
条件式（１２）の下限を超えると、特に長焦点距離端での倍率色収差が補正不足となってしまう。
【００５２】
本実施形態のズームレンズ系は、レンズ枚数が比較的少ない第４レンズ群Ｇ４をフォーカシング時に移動するフォーカスレンズ群とすることにより、迅速なフォーカシングを可能にするとともに、フォーカス駆動機構の小型化や構造の簡単化を図ることができる。さらに、第４レンズ群Ｇ４にフォーカスレンズ群と像振れ補正レンズ群を兼ねさせることで、ズームレンズ系ひいてはこれを搭載した撮像機器をコンパクトにすることができる。
【実施例】
【００５３】
次に具体的な数値実施例１−６を示す。諸収差図及び表中において、ｄ線、ｇ線、Ｃ線はそれぞれの波長に対する収差、Ｓはサジタル、Ｍはメリディオナル、fは全系の焦点距離、FNO.はＦナンバー、Wは半画角（゜）、Yは像高、fBはバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。焦点距離、Ｆナンバー、画角、像高、バックフォーカス、レンズ全長および変倍に伴って間隔が変化するレンズ間隔は、短焦点距離端−中間焦点距離−長焦点距離端の順に示している。
【００５４】
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００５５】
［数値実施例１］
図１〜図４と表１〜表４は、本発明によるズームレンズ系の数値実施例１を示している。図１は、短焦点距離端における無限遠合焦時のレンズ構成図である。図２、図３、図４は、短焦点距離端、中間焦点距離、長焦点距離端の無限遠合焦時の諸収差図である。表１は面データ、表２は各種データ、表３は非球面データ、表４はレンズ群データである。
【００５６】
本数値実施例１のズームレンズ系は、物体側から順に、正の屈折力を持つ第１レンズ群Ｇ１と、負の屈折力を持つ第２レンズ群Ｇ２と、開口絞りＳと、正の屈折力を持つ第３レンズ群Ｇ３と、負の屈折力を持つ第４レンズ群Ｇ４と、正の屈折力を持つ第５レンズ群Ｇ５とから構成されている。第５レンズ群Ｇ５と像面Ｉの間には、カバーガラスＣＧが配置されている。
【００５７】
第１レンズ群Ｇ１は、物体側から順に、両凹負レンズ１１と、プリズムＰＲと、両凸正レンズ１２と、両凸正レンズ１３とから構成されている。プリズムＰＲは、光路を略９０°反射（屈曲）させる反射光学素子（屈曲光学素子）である。両凸正レンズ１３は、その両面に非球面を有している。
【００５８】
第２レンズ群Ｇ２は、物体側から順に、両凹負レンズ２１と、両凹負レンズ２２と、両凸正レンズ２３とから構成されている。両凹負レンズ２１は、その両面に非球面を有している。
【００５９】
第３レンズ群Ｇ３は、物体側から順に、両凸正レンズ３１と、物体側に凸の負メニスカスレンズ３２と、両凸正レンズ３３とから構成されている。両凸正レンズ３１は、その両面に非球面を有している。負メニスカスレンズ３２と両凸正レンズ３３は、接合されている。
【００６０】
第４レンズ群Ｇ４は、物体側から順に、物体側に凸の負メニスカスレンズ４１と、物体側に凸の正メニスカスレンズ４２とから構成されている。負メニスカスレンズ４１と正メニスカスレンズ４２は、接合されている。
【００６１】
第５レンズ群Ｇ５は、物体側から順に、両凸正レンズ５１と、両凹負レンズ５２とから構成されている。両凸正レンズ５１と両凹負レンズ５２は、接合されている。
【００６２】
（表１）
面データ
面番号          r          d          N(d)        νｄ
1         -1000.000      0.76       1.92286      20.88
2            22.336      1.47
3              ∞       10.00       2.00100      29.13
4              ∞        0.15
5            91.938      1.54       1.59282      68.62
6           -30.853      0.10
7*           13.140      2.10       1.62299      58.12
8*          -45.634       d8
9*          -46.692      0.50       1.85135      40.10
10*           5.402      1.16
11           -6.753      0.50       1.72916      54.67
12           34.149      0.10
13           21.151      0.91       1.94594      17.98
14          -21.151       d14
15(絞り)       ∞         d15
16*           5.902      2.29       1.55332      71.68
17*         -14.373      0.90
18           41.349      0.50       1.83481      42.72
19            4.545      2.12       1.49700      81.61
20          -15.763       d20
21           21.256      0.50       1.83481      42.72
22            6.250      0.79       1.80518      25.46
23            7.500       d23
24            6.947      2.06       1.69680      55.46
25          -12.177      0.50       1.94594      17.98
26           34.469      1.63
27             ∞        0.80       1.51680      64.20
28(像面)       ∞          -
＊は回転対称非球面である。
（表２）
各種データ
変倍比   9.6
短焦点距離端          中間焦点距離          長焦点距離端
f              3.88                  8.54                 37.14
FNO.           3.37                  4.03                  6.40
W             37.88                 19.07                  4.49
Y              2.48                  3.00                  3.00
fB             0.80                  0.80                  0.80
L             57.83                 57.83                 57.83
d8             0.45                  4.64                  9.69
d14            9.63                  5.44                  0.40
d15            7.04                  4.91                  0.40
d20            2.99                  5.62                 12.00
d23            5.54                  5.04                  3.16
（表３）
非球面データ
面番号    K            A4              A6              A8
7       0.000     -7.621E-05       1.018E-06      -9.281E-09
8       0.000     -3.948E-05       2.050E-06      -2.379E-08
9       0.000     -1.205E-03       1.019E-04      -3.061E-06
10      0.000     -1.618E-03       5.927E-05       2.304E-06
16      0.000     -5.762E-04      -5.145E-06      -1.180E-07
17      0.000      4.545E-04      -6.010E-06       2.412E-07
（表４）
レンズ群データ
群          始面          焦点距離
1              1             14.18
2              9             -4.76
3             16              9.29
4             21            -14.29
5             24             17.00
【００６３】
［数値実施例２］
図５〜図８と表５〜表８は、本発明によるズームレンズ系の数値実施例２を示している。図５は、短焦点距離端における無限遠合焦時のレンズ構成図である。図６、図７、図８は、短焦点距離端、中間焦点距離、長焦点距離端の無限遠合焦時の諸収差図である。表５は面データ、表６は各種データ、表７は非球面データ、表８はレンズ群データである。
【００６４】
この数値実施例２のレンズ構成は、以下の点を除いて、数値実施例１のレンズ構成と同様である。
（１）第２レンズ群Ｇ２の両凹負レンズ２２と両凸正レンズ２３が、接合されている。
（２）第３レンズ群Ｇ３が、物体側から順に、両凸正レンズ３１’と、両凸正レンズ３２’と、像側に凸の負メニスカスレンズ３３’とから構成されている。両凸正レンズ３１’は、その両面に非球面を有している。両凸正レンズ３２’と負メニスカスレンズ３３’は、接合されている。
（３）第４レンズ群Ｇ４が、物体側から順に、物体側に凸の正メニスカスレンズ４１’と、両凹負レンズ４２’とから構成されている。
（４）第５レンズ群Ｇ５が、両凸正単レンズ５１’から構成されている。両凸正単レンズ５１’は、その両面に非球面を有している。
【００６５】
（表５）
面データ
面番号          r          d          N(d)        νｄ
1          -790.220      0.80       2.00069      25.46
2            18.709      2.03
3              ∞        9.00       2.00100      29.13
4              ∞        0.20
5            68.162      2.05       1.69680      55.46
6           -28.027      0.10
7*           15.414      2.49       1.59201      67.02
8*          -62.120       d8
9*          -66.516      0.50       1.72903      54.04
10*           7.148      1.69
11           -8.299      0.50       1.72916      54.67
12           19.259      1.36       1.92286      20.88
13          -24.490       d13
14(絞り)       ∞         d14
15*           6.284      2.74       1.49710      81.56
16*         -94.000      3.50
17           19.853      2.46       1.49700      81.61
18           -4.516      0.50       1.90366      31.31
19          -15.304       d19
20           11.765      1.05       1.69895      30.05
21           21.509      0.41
22         -147.520      0.50       1.58913      61.25
23            6.919       d23
24*           9.904      2.09       1.55332      71.68
25*        -106.038      2.46
26             ∞        0.80       1.51680      64.20
27(像面)       ∞          -
＊は回転対称非球面である。
（表６）
各種データ
変倍比   7.7
短焦点距離端          中間焦点距離          長焦点距離端
f              5.10                 11.62                 39.28
FNO.           3.38                  4.44                  6.52
W             38.40                 18.98                  5.64
Y              3.30                  4.00                  4.00
fB             1.25                  1.25                  1.25
L             65.73                 65.73                 65.73
d8             0.55                  5.25                 10.77
d13           10.82                  6.12                  0.60
d14            8.90                  5.23                  0.60
d19            2.00                  6.04                 11.29
d23            4.98                  4.61                  3.99
（表７）
非球面データ
面番号    K            A4              A6              A8
7       0.000     -2.320E-05      -4.980E-07       5.140E-09
8       0.000     -1.470E-05      -3.975E-07       6.720E-09
9       0.000     -3.956E-04       1.817E-05      -3.353E-07
10      0.000     -5.756E-04       1.422E-05      -8.110E-08
15      0.000     -9.240E-05       1.690E-06      -1.247E-07
16      0.000      2.186E-04       2.210E-06      -1.454E-07
24      0.000      8.971E-05      -2.789E-05       1.519E-06
25      0.000      1.582E-04      -5.523E-05       2.533E-06
（表８）
レンズ群データ
群          始面          焦点距離
1              1             16.19
2              9             -6.55
3             15             11.86
4             20            -17.83
5             24             16.48
【００６６】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２は、短焦点距離端、中間焦点距離、長焦点距離端の無限遠合焦時の諸収差図である。表９は面データ、表１０は各種データ、表１１は非球面データ、表１２はレンズ群データである。
【００６７】
この数値実施例３のレンズ構成は、以下の点を除いて、数値実施例１のレンズ構成と同様である。
（１）第２レンズ群Ｇ２の負レンズ２１が、物体側に凸の負メニスカスレンズである。
（２）第４レンズ群Ｇ４が、両凹負単レンズ４１”からなる。両凹負単レンズ４１”は、その両面に非球面を有している。
（３）第５レンズ群Ｇ５の負レンズ５２が、像側に凸の負メニスカスレンズである。
【００６８】
（表９）
面データ
面番号          r          d          N(d)        νｄ
1           -50.618      0.70       2.00069      25.46
2            20.586      1.14
3              ∞        7.40       2.00100      29.13
4              ∞        0.15
5            52.258      1.66       1.69680      55.46
6           -26.917      0.10
7*           11.957      2.14       1.59201      67.02
8*          -41.455       d8
9*           29.668      0.50       1.85135      40.10
10*           4.184      1.38
11           -7.248      0.50       1.77250      49.62
12           50.622      0.10
13           12.741      1.05       1.94594      17.98
14          -69.661       d14
15(絞り)       ∞         d15
16*           6.191      2.07       1.55332      71.68
17*         -20.550      0.73
18           16.699      0.50       1.83481      42.72
19            4.546      2.25       1.49700      81.61
20          -12.114       d20
21*         -31.406      0.80       1.54358      55.71
22*          10.847       d22
23            7.798      2.11       1.55032      75.50
24           -7.798      0.50       1.92286      20.88
25         -114.740      2.03
26             ∞        0.80       1.51680      64.20
27(像面)       ∞          -
＊は回転対称非球面である。
（表１０）
各種データ
変倍比   6.9
短焦点距離端          中間焦点距離          長焦点距離端
f              3.88                 10.17                 26.61
FNO.           3.37                  4.03                  5.98
W             38.00                 16.25                  6.26
Y              2.49                  3.00                  3.00
fB             0.80                  0.80                  0.80
L             51.86                 51.86                 51.86
d8             0.40                  5.60                  8.50
d14            8.59                  3.39                  0.50
d15            5.78                  3.84                  0.50
d20            2.02                  4.37                  8.33
d22            5.66                  5.25                  4.62
（表１１）
非球面データ
面番号    K            A4              A6              A8
7       0.000     -8.428E-05      -2.466E-07       1.295E-08
8       0.000     -4.126E-05       1.025E-06       0.000E+00
9       0.000     -9.193E-04       5.574E-05      -1.422E-06
10      0.000     -9.568E-04      -2.252E-06       6.034E-06
16      0.000     -5.114E-04       8.923E-06      -3.730E-07
17      0.000      3.843E-04       1.225E-05      -3.115E-07
21      0.000      9.840E-04      -2.777E-06       2.037E-06
22      0.000      1.092E-03      -8.050E-06       3.715E-06
（表１２）
レンズ群データ
群          始面          焦点距離
1              1             13.55
2              9             -4.89
3             16              8.21
4             21            -14.73
5             23             28.90
【００６９】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６は、短焦点距離端、中間焦点距離、長焦点距離端の無限遠合焦時の諸収差図である。表１３は面データ、表１４は各種データ、表１５は非球面データ、表１６はレンズ群データである。
【００７０】
この数値実施例４のレンズ構成は、以下の点を除いて、数値実施例１のレンズ構成と同様である。
（１）第２レンズ群Ｇ２の負レンズ２１が、物体側に凸の負メニスカスレンズである。
（２）第３レンズ群Ｇ３が、物体側から順に、両凸正レンズ３１”と、両凸正レンズ３２”と、両凹負レンズ３３”と、両凸正レンズ３４”とから構成されている。両凸正レンズ３１”は、その両面に非球面を有している。両凸正レンズ３２”と両凹負レンズ３３”は、接合されている。
（３）第４レンズ群Ｇ４が、像側に凸の負メニスカス単レンズ４１”から構成されている。負メニスカス単レンズ４１”は、その両面に非球面を有している。
【００７１】
（表１３）
面データ
面番号          r          d          N(d)        νｄ
1           -53.211      0.65       1.95375      32.32
2            15.875      1.35
3              ∞        7.40       2.00069      25.46
4              ∞        0.15
5            27.089      2.10       1.59282      68.62
6           -21.202      0.10
7*           14.083      1.98       1.58913      61.25
8*          -63.801       d8
9*           30.477      0.50       1.95150      29.83
10*           4.760      1.46
11           -6.152      0.50       1.55332      71.68
12           73.352      0.10
13           14.884      1.08       1.94594      17.98
14          -37.876       d14
15(絞り)       ∞         d15
16*           5.475      2.49       1.49710      81.56
17*         -15.909      0.10
18            5.963      2.83       1.48749      70.44
19           -5.963      0.50       1.88300      40.80
20            4.510      0.35
21            6.893      1.51       1.55032      75.50
22          -14.312       d22
23*          -5.722      0.50       1.49710      81.56
24*         -16.774       d24
25            7.505      1.64       1.59349      67.00
26          -18.833      0.50       1.92286      20.88
27           40.239      0.91
28             ∞        0.80       1.51680      64.20
29(像面)       ∞          -
＊は回転対称非球面である。
（表１４）
各種データ
変倍比   6.9
短焦点距離端          中間焦点距離          長焦点距離端
f              3.88                 10.17                 26.58
FNO.           2.80                  3.29                  5.00
W             37.94                 16.23                  6.27
Y              2.49                  3.00                  3.00
fB             0.80                  0.80                  0.80
L             51.93                 51.93                 51.93
d8             0.40                  6.66                  9.93
d14           10.03                  3.77                  0.50
d15            5.93                  4.18                  0.50
d22            2.00                  5.14                  8.03
d24            3.27                  1.88                  2.67
（表１５）
非球面データ
面番号    K            A4              A6              A8
7       0.000     -9.100E-05      -8.260E-08       1.795E-08
8       0.000     -8.148E-05       1.258E-06       3.950E-09
9       0.000     -4.829E-04      -5.440E-06       4.436E-07
10      0.000     -5.047E-04      -4.033E-05       2.053E-06
16      0.000     -1.914E-04      -3.358E-06      -1.435E-07
17      0.000      3.691E-04      -5.833E-06       1.542E-07
23      0.000      1.318E-02      -1.282E-03       6.395E-05
24      0.000      1.221E-02      -1.160E-03       5.288E-05
（表１６）
レンズ群データ
群          始面          焦点距離
1              1             14.58
2              9             -6.04
3             16              8.86
4             23            -17.74
5             25             23.63
【００７２】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０は、短焦点距離端、中間焦点距離、長焦点距離端の無限遠合焦時の諸収差図である。表１７は面データ、表１８は各種データ、表１９は非球面データ、表２０はレンズ群データである。
【００７３】
この数値実施例５のレンズ構成は、以下の点を除いて、数値実施例１のレンズ構成と同様である。
（１）第１レンズ群Ｇ１の負レンズ１１が、物体側に凸の負メニスカスレンズである。
（２）第４レンズ群Ｇ４の負レンズ４１が、両凹負レンズである。第４レンズ群Ｇ４の正メニスカスレンズ４２が、その両面に非球面を有している。第４レンズ群Ｇ４の両凹負レンズ４１と正メニスカスレンズ４２が、接合されていない。
（３）第５レンズ群Ｇ５が、両凸正単レンズ５１’からなる。両凸正単レンズ５１’は、その両面に非球面を有している。
【００７４】
（表１７）
面データ
面番号          r          d          N(d)        νｄ
1           142.690      0.70       2.00069      25.46
2            13.341      1.59
3              ∞        7.55       2.00100      29.13
4              ∞        0.15
5            56.672      1.27       1.83481      42.72
6           -56.672      0.10
7*           13.528      2.34       1.55332      71.68
8*          -18.358       d8
9*         -103.900      0.50       1.80139      45.45
10*           5.684      1.14
11           -7.868      0.50       1.72916      54.67
12           20.062      0.10
13           13.841      1.05       1.94594      17.98
14          -52.427       d14
15(絞り)       ∞         d15
16*           6.590      2.61       1.55332      71.68
17*         -11.477      2.11
18           23.649      0.50       1.90366      31.31
19            4.898      2.13       1.49700      81.61
20          -12.797       d20
21         -260.030      0.50       1.71300      53.94
22            6.347      0.42
23*           8.993      0.89       1.73077      40.50
24*          11.955       d24
25*          11.085      1.53       1.49710      81.56
26*         -25.778      1.57
27             ∞        0.80       1.51680      64.20
28(像面)       ∞          -
＊は回転対称非球面である。
（表１８）
各種データ
変倍比   7.3
短焦点距離端          中間焦点距離          長焦点距離端
f              3.88                 10.09                 28.27
FNO.           3.23                  4.00                  6.87
W             38.00                 16.24                  5.89
Y              2.50                  3.00                  3.00
fB             0.80                  0.80                  0.80
L             53.05                 53.05                 53.05
d8             0.40                  5.56                  8.29
d14            8.30                  3.16                  0.40
d15            7.77                  5.28                  0.40
d20            2.00                  4.01                 10.39
d24            3.73                  4.19                  2.72
（表１９）
非球面データ
面番号    K            A4              A6              A8
7       0.000     -9.510E-06      -6.910E-07      -9.149E-09
8       0.000      9.629E-05      -1.351E-06       4.794E-09
9       0.000     -2.649E-03       2.113E-04      -7.586E-06
10      0.000     -3.017E-03       2.218E-04      -6.128E-06
16      0.000     -5.812E-04       3.378E-06      -1.026E-07
17      0.000      4.974E-04       4.262E-06      -3.481E-08
23      0.000     -1.844E-03       4.397E-04      -2.059E-05
24      0.000     -2.040E-03       4.525E-04      -1.867E-05
25      0.000      3.306E-03      -1.962E-04      -3.184E-06
26      0.000      6.705E-03      -6.500E-04       1.181E-05
（表２０）
レンズ群データ
群          始面          焦点距離
1              1             13.96
2              9             -5.25
3             16              8.48
4             21            -10.53
5             25             15.81
【００７５】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４は、短焦点距離端、中間焦点距離、長焦点距離端の無限遠合焦時の諸収差図である。表２１は面データ、表２２は各種データ、表２３は非球面データ、表２４はレンズ群データである。
【００７６】
この数値実施例６のレンズ構成は、以下の点を除いて、数値実施例１のレンズ構成と同様である。
（１）第２レンズ群Ｇ２の負レンズ２１が、物体側に凸の負メニスカスレンズである。
（２）第４レンズ群Ｇ４の負レンズ４１が、その両面に非球面を有する両凹負レンズである。両凹負レンズ４１と両凸正レンズ４２は、接合されていない。
【００７７】
（表２１）
面データ
面番号          r          d          N(d)        νｄ
1           -69.559      0.65       2.00069      25.46
2            22.254      1.09
3              ∞        9.00       2.00100      29.13
4              ∞        0.10
5            90.235      1.18       1.69680      55.46
6           -59.342      0.10
7*           12.885      2.32       1.59201      67.02
8*          -20.804       d8
9*           50.064      0.50       1.85135      40.10
10*           4.797      1.33
11           -7.154      0.50       1.77250      49.62
12           36.154      0.10
13           14.547      1.05       1.94594      17.98
14          -44.173       d14
15(絞り)       ∞         d15
16*           5.553      2.05       1.55332      71.68
17*         -24.014      0.31
18           18.961      0.50       1.83481      42.72
19            4.464      2.39       1.49700      81.61
20           -8.859       d20
21*         -11.665      0.50       1.62263      58.16
22*           5.171      0.71
23           18.128      1.21       1.80610      33.27
24          -18.128       d24
25            7.710      2.04       1.55032      75.50
26           -7.710      0.50       1.92286      20.88
27          330.660      3.83
28             ∞        0.80       1.51680      64.20
29(像面)       ∞          -
＊は回転対称非球面である。
（表２２）
各種データ
変倍比   6.8
短焦点距離端          中間焦点距離          長焦点距離端
f              3.89                 10.19                 26.59
FNO.           3.54                  4.29                  6.01
W             37.97                 16.16                  6.26
Y              2.48                  3.00                  3.00
fB             0.80                  0.80                  0.80
L             52.48                 52.48                 52.48
d8             0.40                  5.84                  9.23
d14            9.16                  3.72                  0.35
d15            4.87                  2.94                  0.35
d20            1.99                  4.05                  7.53
d24            3.30                  3.17                  2.26
（表２３）
非球面データ
面番号    K            A4              A6              A8
7       0.000     -8.008E-05       9.650E-08       3.000E-09
8       0.000      3.725E-05       6.017E-07      -2.339E-09
9       0.000     -8.890E-04       7.975E-05      -3.878E-06
10      0.000     -9.179E-04       6.438E-05      -2.278E-06
16      0.000     -5.565E-04       4.824E-07       9.179E-07
17      0.000      8.219E-04       2.590E-06       1.348E-06
21      0.000     -4.126E-04       1.305E-04      -4.565E-06
22      0.000     -2.080E-03       1.109E-04      -4.233E-06
（表２４）
レンズ群データ
群          始面          焦点距離
1              1             14.60
2              9             -4.98
3             16              7.57
4             21            -14.18
5             25             39.85
【００７８】
各数値実施例の各条件式に対する値を表２５に示す。数値実施例１、２、５、６は、第４レンズ群の前提構成が異なる（第４レンズ群が負単レンズから構成されていない）ため、条件式（６）の対応数値を計算することができない。数値実施例３、４は、第４レンズ群の前提構成が異なる（第４レンズ群が各１枚の負レンズと正レンズから構成されていない）ため、条件式（７）の対応数値を計算することができない。数値実施例１、３、４、６は、第５レンズ群の前提構成が異なる（第５レンズ群が正単レンズから構成されていない）ため、条件式（１１）の対応数値を計算することができない。数値実施例２、５は、第５レンズ群の前提構成が異なる（第５レンズ群が各１枚の正レンズと負レンズから構成されていない）ため、条件式（１２）の対応数値を計算することができない。
（表２５）
実施例１       実施例２       実施例３
条件式（１）       -2.60          -2.20          -1.81
条件式（２）        4.08           3.56           2.91
条件式（３）        2.58           2.24           2.45
条件式（４）       -0.46          -0.42          -0.60
条件式（５）      -0.167         -0.056         -0.071
条件式（６）         -              -             55.7
条件式（７）        17.3           31.2             -
条件式（８）        2.62           2.43           1.96
条件式（９）       0.705          0.556          0.546
条件式（１０）     -7.80          -6.00          -5.44
条件式（１１）        -            71.7             -
条件式（１２）      37.5             -            54.6
実施例４       実施例５       実施例６
条件式（１）       -1.50          -2.68          -1.88
条件式（２）        3.13           2.54           2.78
条件式（３）        2.24           3.02           2.54
条件式（４）       -0.35          -0.62          -0.80
条件式（５）      -0.034         -0.096         -0.073
条件式（６）        81.6            -               -
条件式（７）          -            13.4           24.9
条件式（８）        1.82           2.03           1.82
条件式（９）       0.508          0.541          0.616
条件式（１０）     -4.40          -5.38          -5.34
条件式（１１）        -            81.6             -
条件式（１２）      46.1             -            54.6
【００７９】
表２５から明らかなように、数値実施例１−６は、条件式（１）〜（３）を満足しており、諸収差図から明らかなように、諸収差は比較的よく補正されている。
【符号の説明】
【００８０】
Ｇ１  正の屈折力を持つ第１レンズ群
１１  負レンズ
１２  正レンズ
１３  正レンズ
ＰＲ  プリズム（反射光学素子、屈曲光学素子）
Ｇ２  負の屈折力を持つ第２レンズ群
２１  負レンズ
２２  負レンズ
２３  正レンズ
Ｇ３  正の屈折力を持つ第３レンズ群
３１  正レンズ
３２  負レンズ
３３  正レンズ
３１’  正レンズ
３２’  正レンズ
３３’  負レンズ
３１”  正レンズ
３２”  正レンズ
３３”  負レンズ
３４”  正レンズ
Ｇ４  負の屈折力を持つ第４レンズ群
４１  負レンズ
４２  正レンズ
４１’  正レンズ
４２’  負レンズ
４１”  負レンズ
Ｇ５  正の屈折力を持つ第５レンズ群
５１  正レンズ
５２  負レンズ
５１’  正レンズ
Ｓ  開口絞り
ＣＧ  カバーガラス
Ｉ  像面
【図１】
2017198843.tif 000003
【図２】
2017198843.tif 000004
【図３】
2017198843.tif 000005
【図４】
2017198843.tif 000006
【図５】
2017198843.tif 000007
【図６】
2017198843.tif 000008
【図７】
2017198843.tif 000009
【図８】
2017198843.tif 000010
【図９】
2017198843.tif 000011
【図１０】
2017198843.tif 000012
【図１１】
2017198843.tif 000013
【図１２】
2017198843.tif 000014
【図１３】
2017198843.tif 000015
【図１４】
2017198843.tif 000016
【図１５】
2017198843.tif 000017
【図１６】
2017198843.tif 000018
【図１７】
2017198843.tif 000019
【図１８】
2017198843.tif 000020
【図１９】
2017198843.tif 000021
【図２０】
2017198843.tif 000022
【図２１】
2017198843.tif 000023
【図２２】
2017198843.tif 000024
【図２３】
2017198843.tif 000025
【図２４】
2017198843.tif 000026
【図２５】
2017198843.tif 000027